(57)【特許請求の範囲】
【請求項１】
シャーシと、ディスクを回転駆動するディスク回転駆動手段および前記ディスクに記録された情報を再生する再生手段を搭載し、前記シャーシに対し上側位置と下側位置との間で変位可能に支持された機構ユニットと、前記機構ユニットを前記上側位置と下側位置との間で変位させる変位機構と、ディスクを載置し、ディスク装填位置とディスク排出位置との間を移動するディスクトレイと、を有するディスク装置であって、
前記変位機構は、駆動源と、該駆動源の動力により回転し、前記機構ユニットを前記上側位置と前記下側位置との間で変位させる中継ギアとを備え、該中継ギアは、その回転中心から半径方向またはそれと平行な方向に延びる端面がその一辺をなす扇形をなし、その最大回転角が１８０°未満であり、前記ディスクトレイが前記ディスク装填位置にあるときに、前記機構ユニットを前記上側位置に変位させるようになっており、さらに前記中継ギアの前記端面を押圧して該中継ギアを回転させることにより、前記ディスクトレイの非常排出動作を可能とするよう構成されていることを特徴とするディスク装置。
【請求項２】
前記中継ギアは、前記端面が前記シャーシの前面と平行になったとき、前記機構ユニットが、前記上側位置に位置するように配置されている請求項１に記載のディスク装置。
【請求項３】
前記変位機構は、さらに、前記中継ギアと噛合するラックギアと前記機構ユニット側に形成された従動部材と係合するカム溝とを有するカム部材を備え、前記中継ギアの回転運動を前記ラックギアの直線運動に変えることによって、前記カム部材が移動し、前記機構ユニットが前記上側位置と前記下側位置との間で変位するように構成されている請求項１または２に記載のディスク装置。
【請求項４】
前記中継ギアは、前記ディスクトレイの裏面に形成された第１の案内溝と第２の案内溝にそれぞれ係合する第１の突起と第２の突起を有する請求項１ないし３のいずれかに記載のディスク装置。
【請求項５】
前記ディスクトレイが前記ディスク排出位置から前記ディスク装填位置に向かって移動するときに、前記第１の突起は、前記第１の案内溝内に位置し、前記中継ギアの回転を制限する請求項１ないし４のいずれかに記載のディスク装置。
【請求項６】
前記ディスクトレイが前記ディスク排出位置から前記ディスク装填位置に向かって移動し、前記第１の突起が前記第１の案内溝から離脱した後に、前記第２の突起は、前記第２の案内溝に沿って移動し、前記駆動源の動力を前記中継ギアに伝達できる位置に前記中継ギアを回転させる請求項１ないし５のいずれかに記載のディスク装置。
【請求項７】
前記機構ユニットは、前記シャーシに形成された凹部または開口部内に、所定の間隙を介して収納されている請求項１ないし６のいずれかに記載のディスク装置。
【発明の詳細な説明】
【０００１】
【発明の属する技術分野】
本発明は、光ディスクを再生または記録・再生するディスク装置に関するものである。
【０００２】
【従来の技術】
ＣＤ−ＲＯＭ等の光ディスクを再生するディスク装置が本願出願人により出願されている（実願平５−６９４１４号）。図１１および図１２は、それぞれ、この出願に係るディスク装置の構造を示す分解斜視図および平面図である。
【０００３】
これらの図に示すように、ディスク装置１Ｂは、装置本体（機構組立体）２Ｂと該装置本体２Ｂに対し、前後方向（水平方向）に移動し、出し入れされるディスクトレイ４と、装置本体２Ｂの下部に設置された回路基板組立体１２Ｂと、これらを収納するケーシング１０Ｂとから構成されている。
【０００４】
ケーシング１０Ｂは、底板１１と、装置本体２Ｂの上側を覆う筐体１４とから構成されている。底板１１および筐体１４は、金属板をプレス加工等により所望の形状に成形したものである。
【０００５】
筐体１４は、天板部１４ａと、装置本体２Ｂを介して対向する側壁１４ｂ、１４ｃと、これらの側壁１４ｂ、１４ｃの後端同士を連結する後部側壁１４ｄと、前方側の前板部１４ｅとで構成されている。
天板部１４ａの下面（内面）には、ディスククランパ３８が後述するターンテーブル２６と同軸的に回転可能に設置されている。
【０００６】
筐体１４の前板部１４ｅには、前記ディスクトレイ４が通る開口１４ｆが形成されている。この前板部１４ｅには、同様の開口１６ａを有するフロントベゼル１６がクッション材よりなる枠１５を介して取り付けられている。
【０００７】
装置本体２Ｂは、略器形状のシャーシ２０を有し、該シャーシ２０には、機構ユニット２２と変位機構（上下動機構）３０とが設けられている。機構ユニット２２は、シャーシ２０の底部２０ａに形成された凹部内に収まるように配設されている。この場合、機構ユニット２２とシャーシ２０の凹部との間には、シャーシ２０の変形（熱変形等）を考慮して、所定の間隙が形成されてる。この間隙は、シャーシ２０が最大限変形しても、機構ユニット２２の回動が阻害されない程度の幅に設定されている。
【０００８】
また、変位機構３０は、機構ユニット２２の前方に収まるように配設されている。
この装置本体２Ｂは、ビス１７により底板１１および筐体１４に対し固定されている。
【０００９】
機構ユニット２２は、ベース２３を有し、該ベース２３には、ターンテーブル回転用のスピンドルモータ２５と、スピンドルモータ２５の回転軸に設置されたターンテーブル２６と、光学ヘッド２７と、該光学ヘッド２７を移動する光学ヘッド移動機構２８とが設けられている。
また、ベース２３は、その後方（装置本体２Ｂの奥部側）端部がインシュレータ２９を介して、シャーシ２０に対し回動自在に支持されている。
【００１０】
変位機構３０は、シャーシ２０上の前方側部に設けられたモータ３１と、該モータ３１の回転を減速して伝える減速機構３２と、該減速機構３２を介して回転させられるカムホイール（昇降ギア部材）３３と、該カムホイール３３の回転に伴って変位（回動）するベース昇降部材３５とから構成されている。
【００１１】
減速機構３２は、モータ３１の回転軸先端に固定されたほぼ円錐台状のローラ３２ａと、上部にローラ３２ａの外周円錐面と密着する笠状のゴムシートを有するホイール３２ｂと、該ホイール３２ｂの下部に設けられたピニオンギヤ（図示せず）に噛合する大ギヤ３２ｃと、大ギヤ３２ｃの上部に同軸で固定された小ギヤ３２ｄとで構成されている。
【００１２】
カムホイール３３は、前記減速機構３２の小ギヤ３２ｄと噛合する下側ギア３３ａと、ディスクトレイ４の裏面（下面）に前後方向に沿って形成されたラックギア（図示せず）と噛合する上側ギア３３ｂとを有している。
【００１３】
また、両ギア３３ａ、３３ｂ間の軸部外周には、円周方向に沿って形成され、所望に屈曲したカム溝３４が形成されている。このカム溝３４に前記ベース昇降部材３５に形成された突起状のフォロアー３６が係合している。
【００１４】
ベース昇降部材３５は、ほぼ平行に配置された一対のアーム３５ａ、３５ｂと、それらの前方側の端部同士を連結する連結部材３５ｃと、その両端部に突出形成された軸３５ｄ、３５ｅとで構成され、軸３５ｄ、３５ｅを中心に回動するように支持されている。
【００１５】
カムホイール３３が回転すると、それに伴ってフォロアー３６が変位し、ベース昇降部材３５が回動する。これにより、アーム３５ａ、３５ｂに押圧されてベース２３が回動し、すなわちベース２３の前方部分が上下動する。
【００１６】
ディスクトレイ４は、光ディスク３を載置する浅い凹状のディスク載置部４ａを有し、その裏面に、カムホイール３３の上側ギア３３ｂと噛合するラックギア（図示せず）が形成されている。従って、ディスクトレイ４は、カムホイール３３の回転に伴い、シャーシ２０に対し前後方向に、ディスク装填位置とディスク排出位置との間を移動する。
【００１７】
ディスク装置１Ｂの非使用時には、ディスクトレイ４は、ケーシング１０Ｂ内に収納された状態（ディスク装填位置）にある。この状態でイジェクト操作を行うと、モータ３１が所定方向に回転し、減速機構３２を介してカムホイール３３が所定方向に回転する。このカムホイール３３の回転により、ディスクトレイ４は、前方へ移動し、開口１４ｆ、１６ａを通過して、ケーシング１０Ｂ外に突出した位置（ディスク排出位置）まで移動する。
【００１８】
この状態で、ディスク３をディスクトレイ４のディスク載置部４ａに載置し、ローディング操作を行うと、モータ３１が前記と逆方向に回転し、減速機構３２を介してカムホイール３３が前記と逆方向に回転する。これに伴い、ディスクトレイ４が後方へ移動し、開口１４ｆ、１６ａを通過して、前記ディスク装填位置まで移動する。これにより、ディスクトレイ４上に位置決めされた状態で載置された光ディスク３も、装置本体２Ｂのディスク装填位置へ搬送される。
【００１９】
また、前記カムホイール３３の逆回転が開始されると、ベース昇降部材３５のフォロアー３６がカム溝３４に沿って移動し、ディスク３の中心がターンテーブル２６の中心部に接近したとき、フォロアー３６が変位してベース昇降部材３５が回動し、ベース２３の前方部分がインシュレータ２９の位置を中心として回動し、下側位置から上側位置へ持ち上げられ、ベース２３はほぼ水平状態となる。
【００２０】
これにより、ターンテーブル２６の中心部（センタハブ部２６ａ）が光ディスク３の中心孔３ａに嵌合し、光ディスク３の中心部分を支持するとともに、ディスククランパ３８がターンテーブル２６に磁気的に吸着され、ディスククランパ３８とターンテーブル２６との間に光ディスク３が挟持される。この状態で、スピンドルモータ２５を作動して光ディスク３を一定速度で回転し、光学ヘッド２７により光ディスク３に記録された情報を再生することができる。
【００２１】
光ディスク３の回転が停止している状態で、イジェクト操作を行うと、ディスク装置１Ｂの各機構が上述したローディング時とは逆の順序でかつ逆方向に作動し、光ディスク３は、クランプが解除され、ディスクトレイ４に載って排出される。
【００２２】
このようなディスク装置１Ｂにおいては、光ディスク３の装填・排出は、モータ３１を駆動源とするディスクトレイ４の移動により行っているが、停電等により各モータ等の装置各部の駆動が停止した時、特に、光ディスク３を回転駆動し再生を行っている最中に停電が生じ、光ディスク３の回転が停止した時には、ディスクトレイ４を移動して光ディスク３を排出することができなくなる。そのために、手動でディスクトレイ４を移動し、光ディスク３を排出し得る非常排出機構１４０が設けられている。
【００２３】
この非常排出機構１４０は、図１２に示すように、シャーシ２０の前方部分に回転可能に支持された軸１４１と、該軸１４１の一端に固定されたほぼ円錐台状のローラ１４２と、軸１４１を装置前方側へ付勢する板バネ１４３とで構成されている。
【００２４】
通常は、板バネ１４３の付勢力により軸１４１が装置前方側へ移動し、軸１４１の他端が装置の前面に突出するとともに、ローラ１４２は、前記ホイール３２ｂと非接触の状態にある。なお、軸１４１の前方側突出端には、ドライバー（図示せず）が挿入される一文字状の溝が形成されている。
【００２５】
ドライバーを用い、板バネ１４３の付勢力に抗して軸１４１を押し込むと、これに伴ってローラ１４２が後方へ移動し、その外周の円錐面がホイール３２ｂの上部のゴムシート（円錐面）に圧着される。この状態を維持しつつ、ドライバーにより軸１４１を所定方向に手動で回転すると、ホイール３２ｂが図７中反時計回りに回転し、カムホイール３３が同方向回転し、前記と同様にディスクトレイ４が前方へ移動し、ディスクトレイ上の光ディスク３を排出することができる。
【００２６】
以上のようなディスク装置１Ｂにおいては、変位機構３０の構造が複雑であり、特に、円形のカムホイール３３を機構ユニット２２の前方に配置しなければならず、そのための広い設置スペースを必要とする。さらに、非常排出機構１４０は、常時使用されるものではないにもかかわらず、同様に、それを設置するためのスペースを確保する必要がある。このようなことから、変位機構の大型化、構造の複雑化を招くとともに、部品点数の増大およびそれによる製造コストの上昇を招くという問題があった。
【００２７】
また、非常排出機構１４０は、減速機構３２の配置との関係でその設置位置が定められ、特に、非常排出機構１４０を構成する軸１４１の設置位置（装置前面への突出位置）は、ホイール３２ｂの回転中心の前方位置である必要があるため、設計の自由度が狭いという問題がある。
【００２８】
【発明が解決しようとする課題】
本発明の目的は、機構ユニットを変位させる変位機構の構成の簡素化および小型化を図ることができるディスク装置を提供することにある。
また、本発明の他の目的は、非常排出機構の構成を簡素化し、設計の自由度が広いディスク装置を提供することにある。
【００２９】
【課題を解決するための手段】
このような目的は、下記（１）〜（７）の本発明により達成される。
【００３０】
（１）  シャーシと、ディスクを回転駆動するディスク回転駆動手段および前記ディスクに記録された情報を再生する再生手段を搭載し、前記シャーシに対し上側位置と下側位置との間で変位可能に支持された機構ユニットと、前記機構ユニットを前記上側位置と下側位置との間で変位させる変位機構と、ディスクを載置し、ディスク装填位置とディスク排出位置との間を移動するディスクトレイと、を有するディスク装置であって、
前記変位機構は、駆動源と、該駆動源の動力により回転し、前記機構ユニットを前記上側位置と前記下側位置との間で変位させる中継ギアとを備え、該中継ギアは、その回転中心から半径方向またはそれと平行な方向に延びる端面がその一辺をなす扇形をなし、その最大回転角が１８０°未満であり、前記ディスクトレイが前記ディスク装填位置にあるときに、前記機構ユニットを前記上側位置に変位させるようになっており、さらに前記中継ギアの前記端面を押圧して該中継ギアを回転させることにより、前記ディスクトレイの非常排出動作を可能とするよう構成されていることを特徴とするディスク装置。
【００３１】
（２）  前記中継ギアは、前記端面が前記シャーシの前面と平行になったとき、前記機構ユニットが、前記上側位置に位置するように配置されている上記（１）に記載のディスク装置。
【００３２】
（３）  前記変位機構は、さらに、前記中継ギアと噛合するラックギアと前記機構ユニット側に形成された従動部材と係合するカム溝とを有するカム部材を備え、前記中継ギアの回転運動を前記ラックギアの直線運動に変えることによって、前記カム部材が移動し、前記機構ユニットが前記上側位置と前記下側位置との間で変位するように構成されている上記（１）または（２）に記載のディスク装置。
【００３３】
（４）  前記中継ギアは、前記ディスクトレイの裏面に形成された第１の案内溝と第２の案内溝にそれぞれ係合する第１の突起と第２の突起を有する上記（１）ないし（３）いずれかに記載のディスク装置。
【００３４】
（５）  前記ディスクトレイが前記ディスク排出位置から前記ディスク装填位置に向かって移動するときに、前記第１の突起は、前記第１の案内溝内に位置し、前記中継ギアの回転を制限する上記（１）ないし（４）のいずれかに記載のディスク装置。
【００３５】
（６）  前記ディスクトレイが前記ディスク排出位置から前記ディスク装填位置に向かって移動し、前記第１の突起が前記第１の案内溝から離脱した後に、前記第２の突起は、前記第２の案内溝に沿って移動し、前記駆動源の動力を前記中継ギアに伝達できる位置に前記中継ギアを回転させる上記（１）ないし（５）のいずれかに記載のディスク装置。
【００３６】
（７）  前記機構ユニットは、前記シャーシに形成された凹部または開口部内に、所定の間隙を介して収納されている上記（１）ないし（６）のいずれかに記載のディスク装置。
【００４１】
【発明の実施の形態】
以下、本発明のディスク装置を添付図面に示す好適実施例に基づいて詳細に説明する。
【００４２】
図１は、本発明のディスク装置の実施例を示す分解斜視図、図２および図３は、それぞれ、図１に示すディスク装置における装置本体の平面図、図４は、図１に示すディスク装置における装置本体の底面図、図５は、図１に示すディスク装置におけるディスクトレイの裏面の構成を示す底面図、図６および図７は、それぞれ、図１に示すディスク装置における変位機構の構成を示す背面図、図８は、ケーシングを構成する側板の斜視図、図９は、機構ユニットとシャーシとの間に設置される緩衝部材の構成例を示す斜視図、図１０は、装置本体とケーシングとの間に設置される緩衝部材の構成例を示す縦断面図である。
【００４３】
図１に示すように、本発明のディスク装置１Ａは、ＣＤ−ＲＯＭや音楽用ＣＤ等の光ディスク３を少なくとも再生する装置であって、主に、装置本体（機構組立体）２と、該装置本体２に対し前後方向（水平方向）に移動し、出し入れされる光ディスク搬送用のディスクトレイ４と、装置本体２の下部に設置された回路基板組立体（図示せず）と、これらを収納するケーシング１０とから構成されている。
【００４４】
装置本体２は、略器形状をなし、好ましくは硬質樹脂で構成されたシャーシ４０を有している。このシャーシ４０は、長方形の略板状の底部４０ａと、該底部４０ａの左右および後方縁部に沿ってコ字状に立設された壁部４０ｂとから構成されている。
【００４５】
シャーシ４０のフロントベゼル１６側（前方側）には、壁部は形成されておらず、開放された状態になっており、ケーシング１０内に組み込まれた際に、天板１２の前板１２１に形成された開口１２２が位置するようになっている。
【００４６】
また、シャーシ４０の左右側の壁部４０ｂには、それぞれ、後述する支持部材８０を取り付ける取り付け部４０ｃと、後述する緩衝部材７を取り付ける取り付け部４０ｄとが形成されている。
【００４７】
シャーシ４０には、機構ユニット４２と、その変位機構（昇降機構）５０とが搭載されている。このうち、機構ユニット４２は、シャーシ４０の底部４０ａに形成された空間（開口部または凹部）４１の中央部付近に収まるように配置されている。
【００４８】
この場合、機構ユニット４２とシャーシ４０の空間４１との間には、シャーシ４０の変形（熱変形等）を考慮して、所定の間隙４１１が形成されてる。この間隙４１１は、機構ユニット４２のほぼ全周にわたって形成され、その幅は、シャーシ４０が最大限変形しても機構ユニット４２の回動が阻害されない程度（例えば、幅１〜４mm程度）に設定されている。
また、変位機構５０は、空間４１の前方に収まるように配置されている。
【００４９】
図２および図３に示すように、機構ユニット４２は、好ましくは硬質樹脂で構成されたベース４３と、該ベース４３に対し弾性材料よりなる４個のインシュレータ４４１を介して固定された金属板４４とを有している。
【００５０】
また、機構ユニット４２は、ターンテーブル回転用のスピンドルモータ４５と、該スピンドルモータ４５の回転軸４５１に固定されたターンテーブル４６と、光学ヘッド（アクチュエータを含む）４７と、該光学ヘッド４７を光ディスク３の半径方向に移動する光学ヘッド移動機構４８とを有している。スピンドルモータ４５と、光学ヘッド移動機構４８とは、金属板４４に取り付けられている。
スピンドルモータ４５は、高速回転可能なものであり、例えば光ディスク３を２００〜６４００rpm 程度で回転することができるものである。
【００５１】
ターンテーブル４６は、円盤状の部材であって、後述するディスククランパ８の回転子（クランプ部材）８１を吸着し得るリング状の永久磁石を内蔵している。ターンテーブル４６の中心部には、リング状突部よりなるセンタハブ部４６ａが形成されており、回転子８１の吸着時に、このセンタハブ部４６ａが後述する回転子８１の底部に形成された嵌合溝（図示せず）と嵌合することにより、ターンテーブル４６と回転子８１との軸合わせを行う。
【００５２】
このようなターンテーブル４６と、それを回転するスピンドルモータ４５とで、光ディスク３を回転駆動するディスク回転駆動手段が構成される。
光学ヘッド４７は、光ディスク３からの反射光をミラー（またはプリズム）等でほぼ直角に屈曲して受光素子へ導く構成の横型の光学ヘッドである。
【００５３】
図４に示すように、光学ヘッド移動機構４８は、正転／逆転可能なモータ４８ａと、該モータ４８ａの駆動により回転するウォーム４８ｂと、ウォーム４８ｂと噛合するウォームギア４８ｃと、ウォームギア４８ｃと同軸で固定された小ギア（図示せず）と、該小ギアと噛合するラックギア４８ｄと、ラックギア４８ｄが固定されるスライダ４８ｅと、スライダ４８ｅの移動方向を規制するガイド棒４８ｇと、光学ヘッド４７を搭載し、スライダ４８ｅと一体的に形成された載置台４８ｆとで構成されている。ウォーム４８ｂおよびガイド棒４８ｇは、それぞれ、その長手方向がディスク装置１Ａの前後方向となるように配置されている。
【００５４】
このような光学ヘッド移動機構４８においては、モータ４８ａの駆動によりウォーム４８ｂが所定方向に回転すると、その回転が各ギアを介して伝達され、スライダ４８ｅがガイド棒４８ｇに沿ってディスク装置１Ａの前後方向に移動し、これにより、載置台４８ｆに固定された光学ヘッド４７が、ディスクトレイ４上に載置された光ディスク３の半径方向に移動する。以上のような光学ヘッド４７と光学ヘッド移動機構４８とで、再生手段が構成される。
【００５５】
なお、スピンドルモータ４５、モータ４８ａおよび後述するモータ５１の駆動は、図示しない回路基板組立体に設けられた制御手段（ＣＰＵ）により制御される。なお、回路基板組立体は、装置本体２に固定されていても、側板１３または底板１１に取り付けられ、装置本体２の下面から所定距離離間していてもよい。
【００５６】
ベース４３の後方（装置本体２の奥部）側の両側部には、それぞれ、機構ユニット４２のシャーシ４０に対する回動支持部として、軸４３１、４３２が突出形成されている。これらの軸４３１、４３２は、それぞれ、シャーシ４０側に形成された軸孔４３３、４３４に挿入されている。これにより、機構ユニット４２は、その後方部分がシャーシ４０に対し回動可能に軸支されている。そして、機構ユニット４２が軸４３１、４３２を中心に回動すると、機構ユニット４２の前方部分がシャーシ４０に対し、シャーシ４０の厚さ方向に変位する。
【００５７】
図２〜図４および図９に示すように、軸４３１、４３２のうちの一方の軸４３１には、振動を吸収するためのリング状の緩衝部材（ゴムワッシャー）５が装着されている。この緩衝部材５の厚さは、軸４３１、４３２付近における間隙４１１の幅と同等かまたはそれより若干大きい値に設定され、これにより緩衝部材５は、ベース４３の側面と、シャーシ４０の空間４１に臨む内面との間に挟持された状態、すなわち、ベース４３の側面とシャーシ４０の内面のそれぞれに密着した状態となる。
【００５８】
このような緩衝部材５は、各種ゴムや軟質樹脂（熱可塑性エラストマー）等で構成されている。この場合、シャーシ４０に対する機構ユニット４２の回動を円滑に行うために、緩衝部材５は、例えば、ポリエチレン、ポリ塩化ビニル、ポリテトラフルオロエチレン、シリコーンゴム等の比較的摩擦係数の低い材料（低摩擦材料）で構成されているのが好ましい。
【００５９】
以上のような緩衝部材５を設置することにより、例えば光ディスク３の偏心回転により機構ユニット４２が振動したとしても、その振動が緩衝部材５により吸収または緩和され、シャーシ４０への伝搬が阻止または抑制される。従って、シャーシ４０に対する機構ユニット４２のガタツキ、特に、機構ユニット４２の後方部分のガタツキが防止され、ディスク装置１Ａ全体の振動および騒音の発生を抑制する効果（制振効果）が得られる。
なお、このような緩衝部材５は、軸４３１、４３２の双方に装着されていてもよい。
【００６０】
また、ベース４３の前方部分（装置本体２の手前側）であって、軸４３１側（緩衝部材５が装着されているのと同じ側）の側部には、板バネよりなる付勢部材（バネ部材）６が当接し、機構ユニット４２の前方部分を軸４３２側の側方（図２中左方向）へ付勢している。この付勢部材６は、ビス６ａによりシャーシ４０に固定されている。
【００６１】
このような付勢部材６により機構ユニット４２の前方側部を横方向（１方向）に付勢することによって、機構ユニット４２の前方部分のガタツキを防止することができる。特に、前記緩衝部材５とこの付勢部材６の双方を設置したことにより、機構ユニット４２の後方部分と前方部分のそれぞれのガタツキを有効に防止することができる。
【００６２】
また、付勢部材６は、光ディスク３の偏心回転により生じる振動が最も大きく生じる部分（振幅が大きい部分）またはその近傍に設けられているのが好ましく、すなわち、機構ユニット４２の側部であって、前記ディスク回転駆動手段（スピンドルモータ４５）の近傍に設置されているのが好ましい。これにより、前記効果がより有効に発揮される。
【００６３】
なお、付勢部材６は、湾曲突部６ｂを有し、この湾曲突部６ｂがベース４３の側面へ当接している。これにより、ベース４３の側面との接触面積をできるだけ小さくすることができ、機構ユニット４２の回動に伴う摩擦抵抗をより小さくすることができる。
【００６４】
また、付勢部材６のベース４３の側面への押圧力は、機構ユニット４２の前方部分のガタツキを十分に防止することができ、かつ機構ユニット４２の回動を阻害しない程度に設定される。
【００６５】
なお、このような付勢部材６は、ベース４３の両側部に設置されていてもよい。また、付勢部材６は、ベース４３の前方端に、ベース４３を後方へ向けて押圧するように設置されていてもよい。
【００６６】
また、緩衝部材５と付勢部材６とを機構ユニット４２の同じ側の側部に設けた場合には、ディスク装置１Ａの姿勢にかかわらず、前述したような優れた制振効果を発揮する。すなわち、横置きのコンピュータ本体等にディスク装置１Ａを水平な姿勢で設置した場合はもちろんのこと、該コンピュータ本体を縦置きにした場合、すなわちディスク装置１Ａが垂直な姿勢となった場合でも、優れた制振効果を発揮する。
【００６７】
変位機構５０は、シャーシ４０上の前方側部に設けられた正転／逆転可能なモータ５１と、該モータ５１の回転を減速して伝える減速機構５２と、該減速機構５２を介して所定の角度範囲で回転させられる中継ギア５３と、該中継ギア５３に噛合するラックギア５４を備えたカム部材５５とから構成されている。
【００６８】
図６および図７等に示すように、減速機構５２は、モータ５１の回転軸先端に固定された小ギア５２１と、小ギア５２１に噛合する大ギア５２２と、大ギア５２２の下部に同軸で固定された小ギア５２３と、小ギア５２３に噛合する大ギア５２４と、大ギア５２４の上部に同軸で固定された小ギア５２５とで構成されている。これらの各ギア５２１〜５２５は、いずれも平歯車で構成されている。
【００６９】
小ギア５２５は、中継ギア５３と噛合するとともに、ディスクトレイ４の裏面に形成された後述するラックギア４ｂとも噛合する。モータ５１の回転は、この減速機構５２により所定の減速比で減速されて中継ギア５３およびラックギア４ｂに伝達される。
【００７０】
中継ギア５３は、その回転中心５３０から等距離の位置に（円弧に沿って）歯を有するとともに、回転中心５３０から半径方向またはそれと平行な方向に延びる端面５３３を有するものであり、本実施例では、所定の開き角を有する一対の端面５３３、５３４を有する扇形のギアで構成されている。この中継ギア５３の最大回転角は、１８０°未満とされ、好ましくは１２０°以下とされ、さらに好ましくは９０°以下とされる。
【００７１】
また、中継ギア５３の開き角（端面５３３、５３４同士のなす角）は、好ましくは１５０°以下、より好ましくは１３５°以下、さらに好ましくは６０〜１２０°程度とされる。
【００７２】
このような中継ギア５３を用いることにより、変位機構５０を小型化することができ、変位機構５０の設置スペースを小さくすることができる。また、カム部材５５等の十分な作動ストロークを確保することができる。
【００７３】
中継ギア５３の回転中心５３０は、シャーシ４０の前面の近傍に位置しており、図３および図７に示すように、端面５３３がシャーシ４０の前面がほぼ平行な状態では、中継ギア５３は、小ギア５２５およびラックギア５４のそれぞれと噛合し、機構ユニット４２は、その前方側が上昇した位置（上側位置）にある。
【００７４】
また、図２および図６に示すように、端面５３３がシャーシ４０の前面に対し所定角度傾斜するよう中継ギア５３が回転した状態では、中継ギア５３は、小ギア５２５とは噛合せず、ラックギア５４と噛合し、機構ユニット４２は、その前方側が下降した位置（下側位置）にある。
【００７５】
中継ギア５３の上部には、ディスクトレイ４の裏面に形成された第１の案内溝４ｃおよび第２の案内溝４ｄにそれぞれ挿入する突起５３１、突起５３２が形成されている。突起５３１は、横断面が円形をなし、第１の突起の役割を果たす。また、突起５３２は、横断面が半円形をなし、第２の突起の役割を果たす。
【００７６】
また、図４に示すように、中継ギア５３には、下方へ向けて突出する突起６２が形成されている。この突起６２は、シャーシ４０に形成された円弧状の長孔（ガイド孔）６１内に挿入され、中継ギア５３が回転すると、この長孔６１に沿って移動する。
【００７７】
カム部材５５は、シャーシ４０に対し、横方向（ディスクトレイ４の移動方向と直交する方向）にスライド可能に設置されている。このカム部材５５には、一対のほぼ同形状のカム溝５６ａ、５６ｂが形成されている。両カム溝５６ａ、５６ｂは、それぞれ、水平方向に延びる上溝５６１および下溝５６３と、上溝５６１と下溝５６３とを接続する傾斜溝５６２とで構成されている。
【００７８】
一方、機構ユニット４２のベース４３の前面には、カム溝５６ａ、５６ｂにそれぞれ挿入される突起（従動部材）５７ａ、５７ｂが形成されている。これらの突起５７ａ、５７ｂは、カム溝５６ａ、５６ｂに沿って摺動し、上下方向に移動する。すなわち、突起５７ａ、５７ｂが上溝５６１と係合している状態では、機構ユニット４２の前方側は、上昇した位置（上側位置）にあり、突起５７ａ、５７ｂが下溝５６３と係合している状態では、機構ユニット４２の前方部分は、下降した位置（下側位置）にある。
【００７９】
ディスクトレイ４は、図１に示すように、浅い凹状のディスク載置部４ａを有しており、光ディスク３は、該ディスク載置部４ａ上に載置され、所望に位置規制された状態で搬送される。
【００８０】
図５に示すように、ディスクトレイ４の裏面には、小ギア５２５と噛合するラックギア４ｂが形成されている。これにより、ディスクトレイ４は、モータ５１の駆動により、シャーシ４０に対し前後方向に、ディスク装填位置とディスク排出位置との間を移動する。そして、光ディスク３のローディング操作では、小ギア５２５が図２および図３中時計回りに回転し、それによりディスクトレイ４が後方に移動し、ディスク３が装置本体２内に運び込まれる。
【００８１】
また、ディスクトレイ４の裏面には、第１の案内溝４ｃと、第２の案内溝４ｄとが形成されている。第１の案内溝４ｃは、ラックギア４ｂとほぼ平行に形成され、ディスクトレイ４の前方側（図５中下側）において、ラックギア４ｂに接近するように傾斜している。また、第２の案内溝４ｄは、所望に屈曲している。これら第１の案内溝４ｃおよび第２の案内溝４ｄには、前記中継ギア５３の突起５３１および５３２がそれぞれ挿入され、ディスクトレイ４の移動に伴う突起５３１、５３２の移動軌跡、すなわち中継ギア５３の挙動（動き）を規定する。
【００８２】
シャーシ４０の上部には、ディスククランパ８が設置されている。このディスククランパ８は、板状の支持部材８０と、該支持部材８０に回転可能に支持される回転子８１とで構成されている。
【００８３】
支持部材８０は、その両端をそれぞれシャーシ４０の取り付け部４０ｃにボス（またはリベット）で止めることにより、シャーシ４０の上部に横方向に架設されている。この支持部材８０のほぼ中央部には、円形の開口が形成されている。
【００８４】
一方、回転子８１は、円盤状をなしており、支持部材８０の前記開口に係合する外縁部と、前記開口よりターンテーブル４６側へ突出する部分とを有している。この回転子８１は、ターンテーブル４６に内蔵された永久磁石により吸着し得る材料（強磁性体）で構成されている。
【００８５】
図１に示すように、ケーシング１０は、底板１１と、天板１２と、これらの間に位置するコの字状の側板１３とで構成されている。底板１１、天板１２および側板１３は、それぞれ、金属板をプレス加工（剪断加工、打ち抜き加工、曲げ加工）等により所望の形状に成形したものである。
【００８６】
底板１１と側板１３および天板１２と側板１３は、それぞれビス止めにより固定され、ケーシング１０を構成する。
天板１２の前方には、ほぼ直角に折り曲げられて形成された前板１２１が設けられている。この前板１２１には、ディスクトレイ４が通過する細幅の開口１２２が形成されている。また、前板１２１には、ディスク３の非常排出動作を行うためのピン部材６０を挿入するための孔１２３が形成されている。
【００８７】
また、前板１２１には、スポンジ製等のクッション材よりなる枠１５を介してフロントベゼル１６が取り付けられている。このフロントベゼル１６にも、ディスクトレイ４が通過する細幅の開口１６ａが形成されている。また、フロントベゼル１６には、前記ピン部材６０を挿入するための孔１６ｂが形成されている。
【００８８】
図８に示すように、側板１３は、装置本体２を介して対向する第１の側壁１３ａおよび第２の側壁１３ｂと、該第１および第２の側壁１３ａ、１３ｂの後端同士を連結する第３の側壁１３ｃとを一体的に形成した、全体としてコの字状の側壁部からなる部材である。
【００８９】
この側板１３の上辺、すなわち天板１２と接合される側の端部の複数箇所には、突起１３１が一体的に形成されている。さらに詳述すると、側板１３の第１、第２および第３の側壁１３ａ、１３ｂ、１３ｃのそれぞれに、少なくとも２つの突起１３１が形成されている。
【００９０】
本実施例では、各突起１３１は、その先端が丸みを帯びた形状をなしている。突起１３１の先端形状は、平坦でも、また尖っていてもよいが、丸みを帯びた形状の場合には、安全であるとともに、天板１２との点接触が可能となる。
【００９１】
このような側板１３と天板１２とを接合した際には、側板１３は、天板１２の内面に対し、各突起１３１により点接触（微小面積での接触）する。これにより、側板１３と天板１２とが安定的に接合、連結され、ガタツキが防止されるとともに、ケーシング１０の組み立て（側板１３と天板１２との位置合わせ）も容易に行うことができる。
【００９２】
また、側板１３の下辺側には、底板１１とネジ止めされる取付片１３４が形成され、側板１３の上辺側には、天板１２とネジ止めされる取付片１３５が形成されている。この場合、第１の側壁１３ａの２つの突起１３１同士の間、第２の側壁１３ｂの２つの突起１３１同士の間および第３の側壁１３ｃの２つの突起１３１同士の間に、それぞれ、取付片１３５が形成されている。天板１２の取付片１３５付近には、それらのネジ止めにより応力が集中するため、各突起１３１と取付片１３５との位置関係をこのように設定することにより、側板１３と天板１２とをより一層安定的に接合、保持することができる。
【００９３】
なお、このような突起１３１は、側板１３の下辺、すなわち底板１１と接合される側の端部に形成されていてもよい。この場合でも、その設置箇所、設置数、取付片１３４との位置関係等は、前述した側板１３の上辺側に形成されたものと同様とすることができる。
【００９４】
以上のような装置本体２は、その側部において、ケーシング１０に対し、複数の緩衝部材７を介して支持されている。以下、この支持構造について詳述する。
【００９５】
図１および図８に示すように、側板１３の対向する内側部分には、側板１３と一体的に形成された２対の支持部１３２が設けられている。各支持部１３２は、Ｌ字状に屈曲する板片で構成され、その中央部には、開口１３３が形成されている。
【００９６】
また、図４に示すように、シャーシ４０の左右の壁部４０ｂには、側板１３の前記各支持部１３２に対応する位置に、それぞれ、緩衝部材７の取り付け部４０ｄが設けられている。各取り付け部４０ｄは、それぞれ凹部４９で構成され、各凹部４９の底部４９１には、前記開口１３３と同様の開口４９２が形成されている。
【００９７】
図１０に示すように、緩衝部材７は、両端部にそれぞれ鍔状の第１の係合部７１および第２の係合部７２を有し、それらの間に薄肉で弾性変形可能な変形部７３が形成された形状をなしている。第１の係合部７１と変形部７３との間および第２の係合部７２と変形部７３との間には、それぞれ、縮径部７４および７５が形成されている。また、緩衝部材７は、その軸方向（図１０中横方向）に貫通する中空部７６を有している。
【００９８】
このような緩衝部材７は、各種ゴムや軟質樹脂（熱可塑性エラストマー）等の弾性材料で構成されており、変形部７３が弾性変形することにより、少なくともその軸方向、すなわち、光ディスク３の偏心回転により生じる振動の方向（横方向）と同方向に伸縮することができる。
【００９９】
また、緩衝部材７は、光ディスク３の回転軸方向に生じる振動の方向（縦方向）と同方向に変形することができる。
【０１００】
緩衝部材７の変形部７３は、シャーシ４０の壁部４０ｂに形成された凹部４９内に収納され、緩衝部材７の一方の縮径部７４は、シャーシ４０の開口４９２内に挿入され、他方の縮径部７５は、支持部材１３２の開口１３３内に挿入される。これにより、第１の係合部７１が底部４９１に係合し、第２の係合部７２が支持部１３２に係合する。
【０１０１】
このように、装置本体２は、シャーシ４０の左右の壁部４０ｂにおいて、ケーシング１０の側板１３の内側に対し、複数の緩衝部材７を介して支持される。これにより、例えば光ディスク３の偏心回転により機構ユニット４２、さらには装置本体２が振動したとしても、その振動が各緩衝部材７により吸収され、ケーシング１０への伝搬を抑制する。
【０１０２】
なお、より優れた制振効果を得られるという点で、装置本体２は、各緩衝部材７を介してのみケーシング１０（特に側板１３）と接触しているのが好ましいが、直接または間接的にケーシング１０と接触する部分があってもよいことは、言うまでもない。
【０１０３】
以上のような構造の緩衝部材７は、振動吸収性能、特に横方向の振動吸収性能が極めて優れており、また、伸縮するので、着脱も容易である。なお、緩衝部材７の形状、構造、設置位置、設置数等は、図示のものに限定されないことは、言うまでもない。
【０１０４】
また、緩衝部材７の取り付けは、緩衝部材７の両端部をシャーシ４０側の取り付け部４０ｄと側板１３側の支持部１３２とに嵌合して装着すればよく、別途取り付けのための専用の部品を用いる必要がないため、緩衝部材７の取り付け作業が簡単であり、部品点数も少ない。
【０１０５】
また、装置本体２は、シャーシ４０の左右両側部において緩衝部材７を介して側板１３に支持されているため、ディスク装置１Ａの姿勢にかかわらず、すなわち、前述したようなコンピュータ本体の横置き、縦置きにかかわらず、優れた制振効果を発揮する。なお、図示されていないが、シャーシ４０の背面側の側部においても、緩衝部材７を介して側板１３に支持された構造とすることもできる。
【０１０６】
なお、本実施例では、側板１３に折り曲げた板片による支持部１３２を形成するために、側板１３と底板１１とを別部材で構成しているが、側板１３と底板１１とが連結または一体化されていてもよい。この場合、緩衝部材７のケーシング側の支持部は、底板１１から立設されていてもよい。
【０１０７】
また、ディスク装置１Ａは、例えば光ディスク３を回転駆動して再生を行っている最中に停電が生じ、光ディスク３の回転が停止したときに、手動でディスクトレイ４を前方へ移動し、光ディスク３を排出し得る非常排出機構を備えている。
【０１０８】
この非常排出機構は、主に、前述した中継ギア５３で構成されている。換言すれば、中継ギア５３は、非常排出機構を構成する部品として兼用されている。すなわち、図３に示すように、ディスクトレイ４がディスク装填位置にある状態で、前方側からピン部材６０を挿入し、中継ギア５３の端面５３３を押圧して中継ギア５３を図３中時計回りに回転させると、ディスクトレイ４が前方へ移動してその前方端が開口１６ａから突出する。これにより、ディスクトレイ４を手で引き出すことが可能となる。
【０１０９】
本発明では、前述した従来のディスク装置１Ｂに比べ、非常排出機構を別途設ける必要がなく、しかも、中継ギア５３で兼用しているため、その構成が極めて簡単であり、部品点数の削減にも寄与する。
【０１１０】
また、中継ギア５３を手動で回転させるためには、その端面５３３の半径方向のいずれの部分をピン部材６０で押圧してもよいので、ピン部材６０の挿入位置、すなわち、孔１６ｂおよび１２３の形成位置を端面５３３の存在する範囲内で任意に設定することができ、設計の幅が広い。
【０１１１】
なお、図示されていないが、中継ギア５３の端面５３３上またはその近傍に、ピン部材６０の先端が係合する例えば凹部、溝部、係合片のような係合部が形成されていてもよい。これにより、ピン部材６０の押圧操作に際し、ピン部材６０の先端が前記係合部に係合し、中継ギア５３をより確実に回転させることができる。
【０１１２】
次に、ディスク装置１Ａの作用について説明する。
ディスク装置１Ａの非使用時には、空のディスクトレイ４は、ケーシング１０内（装置本体２内）に収納された状態（ディスク装填位置）にある（図３参照）。このとき、中継ギア５３は、その端面５３３がシャーシ４０の前面とほぼ平行となるような位置にあり、機構ユニット４２の前方側は、上側位置にある。
【０１１３】
この状態でイジェクト操作を行うと、モータ５１が所定方向に回転し、減速機構５２を介して小ギア５２５が図２中反時計回りに回転する。小ギア５２５には、ディスクトレイ４の裏面のラックギア４ｂが噛合していることから、ディスクトレイ４は、小ギア５２５の前記回転に伴って前方へ移動し、開口１２１、１６ａを通過して、ケーシング１０から外側に突出した位置（ディスク排出位置）まで移動する。
【０１１４】
またこれと同時に、カム溝５６ａ、５６ｂの上溝５６１に位置していた突起５７ａ、５７ｂ（図７参照）が、傾斜溝５６２を経て下溝５６３へ移動する（図６参照）。これにより、機構ユニット４２は、軸４３１、４３２を中心に回動し、機構ユニット４２の前方側が上側位置から下側位置へ下降（変位）する。そして、機構ユニット４２に搭載されたターンテーブル４６も、下側位置へ移動し、ディスククランパ８の回転子８１から所定距離離間する。
【０１１５】
なお、このとき緩衝部材５および付勢部材６は、前述したように、ベース４３に対し低い摩擦であり、よって、機構ユニット４２の円滑な回動を妨げることはない。
【０１１６】
引き出されているディスクトレイ４のディスク載置部４ａに光ディスク３を載置し、ローディング操作を行うと、モータ５１が前記と逆方向に回転し、減速機構５２を介して小ギア５２５が図２中時計回りに回転（逆回転）する。これに伴い、ディスクトレイ４が後方へ移動し、開口１６ａ、１２２を通過して、前記ディスク装填位置まで移動する。これにより、ディスクトレイ４上に位置決めされた状態で載置された光ディスク３も、装置本体２内のディスク装填位置へ搬送される。
【０１１７】
ディスクトレイ４のローディング中、すなわち後方への移動中は、中継ギア５３に形成された突起５３１がディスクトレイ４の裏面に形成された第１の案内溝４ｃ内に沿って相対的に移動する。これにより、中継ギア５３の位置（姿勢）が規制され、中継ギア５３は、小ギア５２５と噛合せずに所定距離離間した状態が保たれる（図２参照）。その結果、カム部材５５は移動せず、機構ユニット４２は、その前方が下側位置にある状態を維持する。
【０１１８】
ディスクトレイ４がディスク装填位置に接近すると、中継ギア５３に形成された突起５３２が挿入部４ｅより第２の案内溝４ｄ内に入り、該溝４ｄに案内されて、中継ギア５３が図３中反時計方向に回転する。また、このとき突起５３１は、第１の案内溝４ｃの前方側の端部付近においてラックギア４ｂ側へ移動する。これにより、中継ギア５３は、小ギア５２５と噛合し、小ギア５２５の回転力が伝達されて図３中反時計方向に回転する（図３参照）。
【０１１９】
この中継ギア５３の回転により、ラックギア５４およびカム部材５５が図６中左方向（図３中右方向）に移動し、カム溝５６ａ、５６ｂの下溝５６３に位置していた突起５７ａ、５７ｂ（図６参照）が、傾斜溝５６２を経て上溝５６１へ移動する（図７参照）。これにより、機構ユニット４２は、軸４３１、４３２を中心に回動し、機構ユニット４２の前方側が下側位置から上側位置へ上昇（変位）し、機構ユニット４２は、ほぼ水平状態となる。
【０１２０】
この機構ユニット４２の変位によって、ターンテーブル４６のセンタハブ部４６ａが光ディスク３の中心孔３ａに嵌合し、ターンテーブル４６がディスク３の中心部分を支持して持ち上げるとともに、ターンテーブル４６に内蔵された永久磁石が回転子８１を吸着し、ターンテーブル４６と回転子８１との間に光ディスク３の中心部が挟持され、固定される。
【０１２１】
なお、このようなローディングおよびイジェクトの動作において、中継ギア５３は、前述したような範囲の最大角度で回動するため、シャーシ４０の前面とカム部材５５との間の距離を中継ギア５３の半径程度とすることができ、機構ユニット４２の前方のスペースを小さくすることができ、全体としてスペースの有効利用が図れる。
【０１２２】
以上のようにして光ディスク３がディスク装填位置に装填されると、続いてスピンドルモータ４５が作動し、ターンテーブル４６と回転子８１との間に挟持された光ディスク３が前述したような回転速度で等速回転する。
【０１２３】
また、光学ヘッド４７は、光学ヘッド移動機構４８により光ディスク３の半径方向に対する所定位置に移動され、トラッキング制御およびフォーカス制御がなされつつ光ディスク３の記録面に対し投光・受光を行って、光ディスク３に記録された情報を再生する。
【０１２４】
このような再生に際しては、光ディスク３の寸法誤差や中心合わせの誤差等により、光ディスク３が偏心回転し、機構ユニット４２が振動することがある。この振動は、光ディスク３の回転数が大きいほど激しくなる。本発明のディスク装置１Ａでは、このような機構ユニット４２の振動を、緩衝部材５で吸収（緩和）し、さらに、緩衝部材７で吸収（緩和）するので、ケーシング１０への伝搬が阻止または抑制される。
【０１２５】
特に、緩衝部材５は、機構ユニット４２の後方部分の間隙４１１において、機構ユニット４２とシャーシ４０との間に挟持され、これらに密着しており、機構ユニット４２の前方部分においては、付勢部材６により側方へ付勢されているため、前記光ディスク３の偏心回転による振動が生じても、機構ユニット４２のシャーシ４０に対するガタツキは生じない。
【０１２６】
また、緩衝部材５、７で吸収しきれなかった振動がケーシング１０に伝搬された場合でも、前述したように、側板１３は、天板１２の内面に対し、各突起１３１により点接触し、これにより、側板１３と天板１２とが安定的に接合、連結されているので、ケーシング１０のガタツキが防止され、騒音の発生を極力少なくすることができる。
【０１２７】
再生を中止し、イジェクト操作を行うと、ディスク装置１Ａの各機構が上述したイジェクト操作と同様に作動し、ディスク３は、ターンテーブル４６および回転子８１によるクランプが解除され、ディスクトレイ４に載って排出される。
【０１２８】
なお、例えば再生中に停電が生じ、光ディスク３の回転が停止した場合、非常排出機構により、手動でディスクトレイ４を前方へ移動し、光ディスク３を取り出すことができる。
【０１２９】
すなわち、ディスクトレイ４が、ディスク装填位置にある状態で、前方側からピン部材６０を孔１６ｂおよび１２３内に挿入し、ピン部材６０の先端で中継ギア５３の端面５３３を押圧して、中継ギア５３を図３中時計回りに回転させる。これにより、中継ギア５３に噛合している小ギア５２５が図３中反時計回りに回転し、小ギア５２５に噛合しているラックギア４ｂが前方へ移動し、ディスクトレイ４の前方端が開口１６ａから突出する。
【０１３０】
その後、このディスクトレイ４の突出部分を指で摘んで前方へ引き出すことにより、ディスクトレイ４を排出し、ディスクトレイ４上の光ディスク３を取り出すことができる。
【０１３１】
このような非常排出動作の開始時においては、中継ギア５３は、その端面５３３がシャーシ４０の前面とほぼ平行となるような位置、特にシャーシ４０の前面に最も接近した位置にあるため、ピン部材６０により端面５３３を押圧する操作がし易く、簡単にかつ確実にディスクトレイ４を排出することができる。
【０１３２】
以上、本発明のディスク装置を図示の実施例について説明したが、本発明は、これに限定されるものではなく、装置を構成する各部材や手段は、同様の機能を発揮し得る任意の構成に置換することができる。
【０１３３】
例えば、変位機構５０を構成する各ギア等の配置は、図示のようなものに限定されず、特に、変位機構５０全体に対する中継ギア５３の位置関係についても同様である。また、中継ギア５３の形状は、図示のような扇形に限定されず、半径方向またはそれと平行な方向に延びる端面を有するものであれば、いかなるものでもよい。
【０１３４】
また、カム部材５５の配置は、図示の位置と直交する位置（機構ユニット４２の側部）であってもよく、カム部材５５に形成されるカム溝（カム面）の形状も、任意のものが可能である。
【０１３５】
また、緩衝部材（振動抑制手段）５、７は、それぞれ、図示の構成に限らず、中実の弾性部材よりなるもの、スポンジ状のもの（多孔質体）、コイルバネ、板バネ等の各種バネ、オイルダンパ、エアーダンパ、粘性または粘弾性物質、またはこれらを任意に組み合わせたもの等、緩衝機能、制振機能または消音機能を有するものであれば、いかなるものを用いてもよい。
【０１３６】
また、付勢部材６は、図示のごとき板バネによるものに限らず、例えば、コイルバネ、トーションバネ等の他の種類のバネ部材（材質は金属製、樹脂製のいずれも可）や、オイルダンパまたはエアーダンパと前記バネ部材とを組み合わせたもの等であってもよい。
【０１３７】
この場合、これらのバネ部材と機構ユニット（またはシャーシ）との間に、例えば球体（ボール）のような点接触で当接する部材を介在させ、機構ユニット（またはシャーシ）との接触面積（すなわち摩擦抵抗）を小さくするような構成とすることもできる。
【０１３８】
また、前記実施例では、付勢部材６は、シャーシ４０側に固定されていたが、機構ユニット４２側に固定されているものや、シャーシ４０側、機構ユニット４２側の双方に固定されているものでもよい。
【０１３９】
また、複数の付勢部材６を異なる箇所に設置してもよい。この場合、各付勢部材６の付勢方向は、それぞれ、同一方向でも異なる方向（例えば、互いに直交する２方向）でもよい。
【０１４０】
【発明の効果】
以上述べたように、本発明によれば、例えば扇形ギアのような所定の中継ギアを用いたことにより、機構ユニットを変位させる変位機構の構成を簡素化し、小型化することができる。その結果、省スペース化および装置の小型化に寄与する。
【０１４１】
また、中継ギアが非常排出機構を構成する場合には、別途複雑な構造の非常排出機構を設置する必要がなく、更なる省スペース化および装置の小型化に寄与するとともに、中継ギアの押圧位置の設定等に関し、設計の自由度が広い。
【０１４２】
また、振動抑制手段を設けた場合には、ディスクの偏心回転等による振動が生じた場合でも、機構ユニットのガタツキを防止し、装置全体の振動や騒音の発生を抑制することができる。よって、振動、騒音を生じ易いディスク回転の高速化に対応することができる。
【図面の簡単な説明】
【図１】本発明のディスク装置の実施例を示す分解斜視図である。
【図２】図１に示すディスク装置における装置本体の平面図である。
【図３】図１に示すディスク装置における装置本体の平面図である。
【図４】図１に示すディスク装置における装置本体の底面図である。
【図５】図１に示すディスク装置におけるディスクトレイの裏面の構成を示す底面図である。
【図６】図１に示すディスク装置における変位機構の構成を示す背面図である。
【図７】図１に示すディスク装置における変位機構の構成を示す背面図である。
【図８】ケーシングを構成する側板の斜視図である。
【図９】機構ユニットとシャーシとの間に設置される緩衝部材の構成例を示す斜視図である。
【図１０】装置本体とケーシングとの間に設置される緩衝部材の構成例を示す縦断面図である。
【図１１】従来のディスク装置の構成を示す分解斜視図である。
【図１２】図１１に示すディスク装置の平面図である。
【符号の説明】
１Ａ、１Ｂ      ディスク装置
２              装置本体
３              光ディスク
３ａ            中心孔
４              ディスクトレイ
４ａ            ディスク載置部
４ｂ            ラックギア
４ｃ            第１の案内溝
４ｄ            第２の案内溝
４ｅ            挿入部
５              緩衝部材
５ａ            第１層
５ｂ            第２層
５ｃ            第３層
６              付勢部材
６ａ            ビス
６ｂ            湾曲突部
７              緩衝部材
７１            第１の係合部
７２            第２の係合部
７３            変形部
７４、７５      縮径部
７６            中空部
８              ディスククランパ
８０            支持部材
８１            回転子
１０、１０Ｂ    ケーシング
１１            底板
１２            天板
１２１          前板
１２２          開口
１２３          孔
１２Ｂ          回路基板組立体
１３            側板
１３ａ          第１の側壁
１３ｂ          第２の側壁
１３ｃ          第３の側壁
１３１          突起
１３２          支持部
１３３          開口
１３４、１３５  取付片
１４            筐体
１４ａ          天板部
１４ｂ、１４ｃ  側壁
１４ｄ          後部側壁
１４ｅ          前板部
１４ｆ          開口
１５            枠
１６            フロントベゼル
１６ａ          開口
１６ｂ          孔
１７            ビス
２０            シャーシ
２０ａ          底部
２０ｂ          壁部
２２            機構ユニット
２３            ベース
２５            スピンドルモータ
２６            ターンテーブル
２６ａ          センタハブ部
２７            光学ヘッド
２８            光学ヘッド移動機構
２９            インシュレータ
３０            変位機構
３１            モータ
３２            減速機構
３２ａ          ローラ
３２ｂ          ホイール
３２ｃ          大ギア
３２ｄ          小ギア
３３            カムホイール
３３ａ          下側ギア
３３ｂ          上側ギア
３４            カム溝
３５            ベース昇降部材
３５ａ、３５ｂ  アーム
３５ｃ          連結部
３５ｄ、３５ｅ  軸
３６            フォロアー
３８            ディスククランパ
１４０          非常排出機構
１４１          軸
１４２          ローラ
１４３          板バネ
４０            シャーシ
４０ａ          底部
４０ｂ          壁部
４０ｃ          取り付け部
４０ｄ          取り付け部
４１            凹部
４１１          間隙
４２            機構ユニット
４３            ベース
４３１、４３２  軸
４３３、４３４  軸孔
４４            金属板
４４１          インシュレータ
４５            スピンドルモータ
４５１          回転軸
４６            ターンテーブル
４６ａ          センタハブ
４７            光学ヘッド
４８            光学ヘッド移動機構
４８ａ          モータ
４８ｂ          ウォーム
４８ｃ          ウォームギア
４８ｄ          ラックギア
４８ｅ          スライダ
４８ｆ          載置台
４８ｇ          ガイド棒
４９            凹部
４９１          底部
４９２          開口
５０            変位機構
５１            モータ
５２            減速機構
５２１          小ギア
５２２          大ギア
５２３          小ギア
５２４          大ギア
５２５          小ギア
５３            中継ギア（扇形ギア）
５３０          回転中心
５３１、５３２  突起
５３３、５３４  端面
５４            ラックギア
５５            カム部材
５６ａ、５６ｂ  カム溝
５６１          上溝
５６２          傾斜溝
５６３          下溝
５７ａ、５７ｂ  突起
６０            ピン部材
６１            長孔
６２            突起
【図１】
0003651523.tif 000002
【図２】
0003651523.tif 000003
【図３】
0003651523.tif 000004
【図４】
0003651523.tif 000005
【図５】
0003651523.tif 000006
【図６】
0003651523.tif 000007
【図７】
0003651523.tif 000008
【図８】
0003651523.tif 000009
【図９】
0003651523.tif 000010
【図１０】
0003651523.tif 000011
【図１１】
0003651523.tif 000012
【図１２】
0003651523.tif 000013